(57)【要約】【課題】一の電極体からの熱により他の電極体が影響を受けることを抑制すること【解決手段】二次電池１は、第１電極体３Ａ、第２電極体３Ｂ及び断熱フィルム１５を有し、断熱フィルム１５の上下方向の長さＹは、第１電極体３Ａ及び第２電極体３Ｂの上下方向の長さＷと略等しく、断熱フィルム１５の左右方向の長さＧは、第１電極体３Ａ及び第２電極体３Ｂの左右方向の長さＨと略等しい。そして、第１電極体３Ａの後側と第２電極体３Ｂの前側との間の対向領域全体に亘って、断熱フィルム１５が挟み込まれている。【選択図】図２
2014186845.tif 000002
【特許請求の範囲】
【請求項１】
第１電極体および第２電極体と、
前記第１電極体および前記第２電極体を、電解質と共に収容するケースと、
前記第１電極体と前記第２電極体との間に配置される断熱材と、
を備える、蓄電素子。
【請求項２】
請求項１に記載の蓄電素子であって、
前記断熱材は、前記第１電極体と前記第２電極体との対向領域全体に亘って配置されている、蓄電素子。
【請求項３】
請求項１または２に記載の蓄電素子であって、
前記断熱材は、一方の面が前記第１電極体と接し、他方の面が前記第２電極体と接している、蓄電素子。
【請求項４】
請求項１から３のいずれか一項に記載の蓄電素子であって、
前記ケースと前記電極体とを絶縁する絶縁フィルムを備え、
前記断熱材は、前記絶縁フィルムとは別体である、蓄電素子。
【請求項５】
請求項４に記載の蓄電素子であって、
前記絶縁フィルムには、前記第１電極体および第２電極体を挿入する第１開口部と、作業用の第２開口部とが形成されている、蓄電素子。
【発明の詳細な説明】
【技術分野】
【０００１】
複数の電極体が、共通のケース内に電解質と共に収容された構成を有する蓄電素子に関する。
【背景技術】
【０００２】
従来から、複数の電極体が、共通のケース内に電解質と共に収容された構成を有する二次電池がある（特許文献１参照）。この二次電池では、複数の電極体はケース内に並べられており、各電極体とケースとの間には絶縁性のフィルムが設けられている。ケースが電導性の材質から形成されている場合、この絶縁性のフィルムにより、電極体からケースへのリーク電流の発生を防止することが可能となる。
【先行技術文献】
【特許文献】
【０００３】
【特許文献１】特開２０１０−２３１９４６号公報
【発明の概要】
【発明が解決しようとする課題】
【０００４】
ところで、上記従来の二次電池では、例えば一の電極体が発熱した場合、その発熱が他の電極体に伝わり、当該他の電極体に影響が及ぶおそれがある。
【０００５】
本明細書では、一の電極体からの熱により他の電極体に影響が及ぶことを抑制する技術を開示する。
【課題を解決するための手段】
【０００６】
本明細書によって開示される蓄電素子は、第１電極体および第２電極体と、前記第１電極体および前記第２電極体を、電解質と共に収容するケースと、前記第１電極体と前記第２電極体との間に配置される断熱材と、を備える。
【発明の効果】
【０００７】
この蓄電素子によれば、一の電極体からの熱により他の電極体に影響が及ぶことを抑制することができる。
【図面の簡単な説明】
【０００８】
【図１】一実施形態の二次電池の外観構成を示す斜視図
【図２】二次電池を分解した状態を示す斜視図
【図３】図１のＥ−Ｅ破断面における二次電池の断面図
【図４】図１のＦ−Ｆ破断面における二次電池の断面図
【図５】図１のＪ−Ｊ破断面における二次電池の断面図
【発明を実施するための形態】
【０００９】
（実施形態の概要）
本明細書によって開示される蓄電素子は、第１電極体および第２電極体と、前記第１電極体および前記第２電極体を、電解質と共に収容するケースと、前記第１電極体と前記第２電極体との間に配置される断熱材と、を備える構成を有する。
【００１０】
この蓄電素子によれば、断熱材が電極体間の熱の伝達を抑制するため、一の電極体からの熱により他の電極体に影響が及ぶことを抑制することができる。なお、電解質は、固体電解質であってもよいし、電解液であってもよい。
【００１１】
上記蓄電素子では、前記断熱材は、前記第１電極体と前記第２電極体との対向領域全体に亘って配置されていてもよい。
【００１２】
この蓄電素子によれば、対向領域の一部にのみ断熱材が配置されている構成に比べて、断熱材が電極体間の熱の伝達をより抑制することができる。
【００１３】
上記蓄電素子では、前記断熱材は、一方の面が前記第１電極体と接し、他方の面が前記第２電極体と接していてもよい。
【００１４】
この蓄電素子によれば、断熱を図りつつ、蓄電素子の省スペース化を図ることができる。
【００１５】
上記蓄電素子では、前記ケースと前記電極体とを絶縁する絶縁フィルムを備え、前記断熱材は、前記絶縁フィルムとは別体であってもよい。
【００１６】
この蓄電素子によれば、断熱材が絶縁フィルムと一体である構成に比べて、電極体を絶縁フィルムに収容し易くすることができる。
【００１７】
上記蓄電素子では、前記絶縁フィルムには、前記第１電極体および第２電極体を挿入する第１開口部と、作業用の第２開口部とが形成されていてもよい。
【００１８】
この蓄電素子によれば、第２開口部を通じて、電極体と集電体との溶接を行ったり、電解質の注入を行ったりできる。
【００１９】
＜一実施形態＞
一実施形態の二次電池１について図１〜図５を参照しつつ説明する。二次電池１は、蓄電素子の一例である。以下、説明上、図１において、符号Ｆが付された紙面右下側を二次電池１の前側とし、符号Ｒが付された紙面右上側を二次電池１の右側とし、符号Ｕが付された紙面上側を二次電池１の上側とする。
【００２０】
１．二次電池の構成
図１に示す二次電池１は、繰り返し充放電可能な二次電池であり、より具体的にはリチウムイオン電池である。二次電池１は、例えば電気自動車やハイブリット自動車に搭載され、電気エネルギーで作動する動力源に電力を供給する。図２に示すように、二次電池１は、第１電極体３Ａおよび第２電極体３Ｂを有する発電ユニット３が、共通のセルケース２内に電解液と共に収容された構成を有する。
【００２１】
二次電池１は、セルケース２及び発電ユニット３を備える。セルケース２は、ケース本体４と蓋体５とを有する。なお、セルケース２は、ケースの一例である。
【００２２】
ケース本体４は、全体として略直方体状をなし、一端面側、即ち上端面側に開口部４Ａが開口形成されている。ケース本体４の内部には、開口部４Ａに連通する収容空間ＳＰ１が形成されている。開口部４Ａは、一方向、即ち左右方向の幅寸法が、上記一方向に直交する方向、即ち前後方向の幅寸法よりも長い矩形状をなす。収容空間ＳＰ１には、発電ユニット３が収容されるとともに、電解液が充填される。ケース本体４は、導電性材料により形成され、例えばアルミニウム等の金属製である。
【００２３】
蓋体５には、正極端子６、負極端子７、正極集電体ユニット８、及び負極集電体ユニット９が設けられている。蓋体５は、全体として略長方形状をなし、開口部４Ａと略同一の形状をなす。蓋体５は、ケース本体４の開口部４Ａを塞ぐようにケース本体４に接合されており、これにより収容空間ＳＰ内が密閉状態になっている。なお、蓋体５は、導電性材料により形成され、例えばアルミニウム等の金属製である。
【００２４】
蓋体５の外面、即ち、上面には正極端子６と負極端子７とが配置されている。具体的には、正極端子６は、蓋体５の長手方向における一端側、即ち左側に配置されて、負極端子７は、長手方向における他端側、即ち右側に配置されている。
【００２５】
正極集電体ユニット８は、正極端子６に電気的に接続され、第１正極集電体８Ａ及び第２正極集電体８Ｂを備える。
【００２６】
第１正極集電体８Ａは、正極端子６側に接続される図示しない本体部と、発電ユニット３側に接続される正極脚部１０Ａ及び正極脚部１１Ａを有する。本体部は、蓋体５内面、即ち下面に沿う形状、即ち蓋体５の左右方向に沿う形状である。
【００２７】
正極脚部１０Ａ及び正極脚部１１Ａは、本体部の端縁からその下面に対して収容空間ＳＰの奥側に向かう方向、即ち、下方向に屈曲されて延びている。正極脚部１０Ａ及び正極脚部１１Ａは、後述する発電ユニット３の第１正極集電箔３３Ａに沿う細長い形状である。正極脚部１０Ａ及び正極脚部１１Ａは、互いの板面が対向する向きで配されている。第１正極集電体８Ａは、例えばアルミニウム合金板など、それぞれ大きな電流容量が得られるように十分な厚さを有する金属板からなる。
【００２８】
第２正極集電体８Ｂは、第１正極集電体８Ａと同じ形状である。ここで、正極脚部１０Ａには正極脚部１０Ｂが対応し、正極脚部１１Ａには正極脚部１１Ｂが対応する。
【００２９】
負極集電体ユニット９は、負極端子７に電気的に接続され、第１負極集電体９Ａと第２負極集電体９Ｂとを有する。負極集電体ユニット９は、正極集電体ユニット８と同じ形状である。ここで、第１正極集電体８Ａには第１負極集電体９Ａが対応し、第２正極集電体８Ｂには第２負極集電体９Ｂが対応する。ただし、第１負極集電体９Ａ及び第２負極集電体９Ｂは、例えば銅合金板など、それぞれ大きな電流容量が得られるように十分な厚さを有する金属板からなる。
【００３０】
また、第１負極集電体９Ａは、第２負極集電体９Ｂと同じ形状である。ここで、負極脚部１２Ａには負極脚部１２Ｂが対応し、負極脚部１３Ａには負極脚部１３Ｂが対応する。
【００３１】
なお、蓋体５の略中央には、安全弁１４が設けられている。安全弁１４は、セルケース２内の圧力が所定値以上となった場合に破断してセルケース２内のガスを放出する。
【００３２】
発電ユニット３は、第１電極体３Ａ、第２電極体３Ｂ及び断熱フィルム１５を有する。
【００３３】
第１電極体３Ａは、第１正極板３１Ａと第１負極板３２Ａとの間に、図示しないセパレータを挟んで重ね合わせたものを巻回して構成されている。
【００３４】
具体的には、第１電極体３Ａは、略長方形状をなすポリエチレン製の巻芯の長辺を巻軸の中心にして、第１正極板３１Ａと第１負極板３２Ａとの間に、図示しないセパレータを挟んで重ね合わせたものを巻回したものである。
【００３５】
これにより、第１電極体３Ａは、巻芯に対応して、巻芯の巻軸に沿った方向に長く、巻芯の巻軸に垂直な方向に短い、扁平型に巻回した筒形状に構成される。これにより、第１電極体３Ａは、巻芯の短辺方向に沿った方向と、巻芯の長辺方向に沿った方向とによって形成される領域の面積が、他の領域の面積より大きくなる形状をなす。そして、第１電極体３Ａは、巻芯の長辺方向を左右方向として、ケース本体４に収容される。
【００３６】
第１正極板３１Ａは、巻回方向を長手方向とした帯状をなすアルミニウム箔の表面に正極活物質層が形成されたものである。第１正極板３１Ａは、その長手方向に延びる一方の縁には、正極活物質層が形成されずにアルミニウム箔が露出した第１正極集電箔３３Ａが形成されている。
【００３７】
第１負極板３２Ａは、巻回方向を長手方向とした帯状をなす銅箔の表面に負極活物質層が形成されたものである。第１負極板３２Ａは、その長手方向に延びる一方の縁には、負極活物質層が形成されずに銅箔が露出した第１負極集電箔３４Ａが形成されている。
【００３８】
第１正極板３１Ａは、第１正極集電箔３３Ａが、セパレータや第１正極板３１Ａよりも一端側、即ち、正極側（左側）に配されるように重ねられて巻回されている。また、第１負極板３２Ａは、第１負極集電箔３４Ａが、セパレータや第１負極板３２Ａよりも他端側、即ち、負極側（右側）に配されるように重ねられて巻回されている。
【００３９】
これにより、第１電極体３Ａの一端側、即ち、正極側（左側）には、第１正極集電箔３３Ａのみが積層して設けられ、他端側、即ち、負極側（右側）には、第１負極集電箔３４Ａのみが積層して設けられている。
【００４０】
なお、第１電極体３Ａと第２電極体３Ｂとは形状が同じである。ここで、第１正極板３１Ａには第２正極板３１Ｂが対応し、第１負極板３２Ａには第２負極板３２Ｂが対応する。また、第１正極集電箔３３Ａには第２正極集電箔３３Ｂが対応し、第１負極集電箔３４Ａには第２負極集電箔３４Ｂが対応する。以下の説明でも、特に断りがない限り同様とする。
【００４１】
第１電極体３Ａ及び第２電極体３Ｂは、巻芯の短辺方向、即ち、上下方向に沿った方向と、巻芯の長辺方向、即ち、左右方向に沿った方向とによって形成される領域どうしが対向するように並べられている。具体的には、図３及び図４に示す通り、第１電極体３Ａの後側と第２電極体３Ｂの前側とが対向し、第１正極集電箔３３Ａの後側と第２正極集電箔３３Ｂの前側とが対向し、第１負極集電箔３４Ａの後側と第２負極集電箔３４Ｂの前側とが対向している。
【００４２】
第１正極集電箔３３Ａは、表面部分（図１二点鎖線参照）で、第１正極集電体８Ａに接続される。第１負極集電箔３４Ａは、表面部分（図１二点鎖線参照）で、第１負極集電体９Ａに接続される。
【００４３】
第１正極集電体８Ａと、第１正極集電箔３３Ａとは、クリップＣＡによって挟み込まれた状態で超音波溶接されることで接続される。また、第１負極集電体９Ａと、第１負極集電箔３４Ａとは、クリップＣＢによって挟み込まれた状態で超音波溶接されることで接続される。
【００４４】
クリップＣＡは、接続される第１正極集電体８Ａ及び第１正極集電箔３３Ａの材質と同等の抵抗値を有する材料からなり、クリップＣＢは、接続される第１負極集電体９Ａ及び第１負極集電箔３４Ａの材質と同等の抵抗値を有する材料からなる。具体的には、正極側のクリップＣＡは、例えばアルミニウム合金からなり、負極側のクリップＣＢは、例えば銅合金からなる。
【００４５】
断熱フィルム１５は、略長方形状であり、断熱材の一例である。断熱フィルム１５は、例えばポリフェニレンサルファイド（ＰＰＳ）、テトラフルオロエチレンパーフルオロアルキルビニールエーテル共重合体（ＰＦＡ）、ポリプロピレン（ＰＰ）、ポリエチレン（ＰＥ）、ポリエチレンテレフタレート（ＰＥＴ）等の断熱性を有する材質から形成される。断熱フィルム１５は、第１電極体３Ａ及び第２電極体３Ｂの間に配置されている。具体的には、断熱フィルム１５は、第１電極体３Ａ及び第２電極体３Ｂの対向領域全体に亘って配置されている。さらに詳細には、図３、図４を用いて説明する。
【００４６】
図３は、二次電池１の図１におけるＥ―Ｅ破断面での断面を示している。図３に示すように、断熱フィルム１５の上下方向の長さＹは、第１電極体３Ａ及び第２電極体３Ｂの上下方向の長さＷと略等しい。また、断熱フィルム１５の厚さＱ１は、後述する絶縁フィルム１６の厚さＱ２と略等しい。そして、断熱フィルム１５は、第１電極体３Ａと第２電極体３Ｂとの間に挟み込まれている。
【００４７】
具体的には、断熱フィルム１５は、第１電極体３Ａと第２電極体３Ｂとが対向する領域全体に亘って挟み込まれており、換言すれば、断熱フィルム１５は、第１電極体３Ａの後側の点α１から点α２の間の領域と、第２電極体３Ｂの前側の点β１から点β２の間の領域とで挟み込まれている。これによって、第１電極体３Ａと第２電極体３Ｂとの間で熱が伝わることを抑制している。
【００４８】
図４は、二次電池１を図１におけるＦ―Ｆ破断面での断面を示している。図４に示すように、断熱フィルム１５の左右方向の長さＧは第１電極体３Ａ及び第２電極体３Ｂの左右方向の長さＨと略等しい。そして、断熱フィルム１５は、第１電極体３Ａと第２電極体３Ｂとの間に挟み込まれている。
【００４９】
具体的には、断熱フィルム１５は、第１電極体３Ａと第２電極体３Ｂとが対向する領域全体に亘って挟み込まれており、換言すれば、断熱フィルム１５は、第１電極体３Ａの後側の点α３から点α４の間の領域と、第２電極体３Ｂの前側の点β３から点β４の間の領域とで挟み込まれている。これによって、第１電極体３Ａと第２電極体３Ｂとの間で熱が伝わることを抑制している。
【００５０】
更に二次電池１には、絶縁フィルム１６、絶縁板１７Ａ、絶縁板１７Ｂ、が備えられている。
【００５１】
絶縁フィルム１６は、発電ユニット３とケース本体４とを絶縁するために設けられている。絶縁フィルム１６は、全体として略直方体状をなし、一端面側、即ち上端面側に開口部１６Ａが開口形成されている。絶縁フィルム１６の内部には、開口部１６Ａに連通する収容空間ＳＰ２が形成されている。なお、開口部１６Ａは、第一開口部の一例である。
【００５２】
開口部１６Ａは、一方向、即ち左右方向の幅寸法が、上記一方向に直交する方向、即ち前後方向の幅寸法よりも長い矩形状をなす。絶縁フィルム１６は、一方向、即ち左右方向に長い長方形状をなす一対の第一壁１８と、上記一方向に直交する方向、即ち上下方向に長い長方形状をなす一対の第二壁１９とを有している。
【００５３】
また、絶縁フィルム１６は、例えばポリフェニレンサルファイド（ＰＰＳ）、テトラフルオロエチレンパーフルオロアルキルビニールエーテル共重合体（ＰＦＡ）、ポリプロピレン（ＰＰ）、ポリエチレン（ＰＥ）、ポリエチレンテレフタレート（ＰＥＴ）等の絶縁性を有する材質で形成される。絶縁フィルム１６の第二壁１９には、略四角形状の作業窓Ｋが形成されている。具体的には、作業窓Ｋは、一方向、即ち上下方向の長さがＰで、他方向、即ち前後方向の長さがＶである。そして、作業窓Ｋの前後方向の長さＶは、絶縁フィルム１６の前後方向の長さＭに略等しい。なお、作業窓Ｋは、作業用の第二開口部の一例である。
【００５４】
絶縁板１７Ａ及び絶縁板１７Ｂは、略長方形状をなし、例えばポリフェニレンサルファイド（ＰＰＳ）、テトラフルオロエチレンパーフルオロアルキルビニールエーテル共重合体（ＰＦＡ）、ポリプロピレン（ＰＰ）、ポリエチレン（ＰＥ）、ポリエチレンテレフタレート（ＰＥＴ）等の絶縁性を有する材質で形成される。絶縁板１７Ａ及び絶縁板１７Ｂは、一対で、絶縁フィルム１６に収容され、絶縁フィルム１６の第二壁１９に対向して接している。
【００５５】
絶縁板１７Ａ及び絶縁板１７Ｂは、一方向、即ち上下方向の長さがＮで、他方向、即ち前後方向の長さがＬである。そして、絶縁板１７Ａ及び絶縁板１７Ｂの前後方向の長さＬは、絶縁フィルム１６の前後方向の長さＭに略等しい。また、絶縁板１７Ａ及び絶縁板１７Ｂの上下方向の長さＮは、絶縁フィルム１６の下端から作業窓Ｋの下端までの長さＴに略等しい。
【００５６】
これによって、絶縁板１７Ａ及び絶縁板１７Ｂは、絶縁フィルム１６に形成された作業窓Ｋを塞がないようにしつつ、発電ユニット３とケース本体４との絶縁性を更に高めている。
２．二次電池の組み立て
二次電池１は以下の順序によって組み立てられる。まず、発電ユニット３を形成する。具体的には、断熱フィルム１５が、第１電極体３Ａと第２電極体３Ｂとの間の対向領域全体に亘って挟み込まれる。次に絶縁フィルム１６に、発電ユニット３が収容される。そして、絶縁フィルム１６に絶縁板１７Ａ及び絶縁板１７Ｂが取り付けられる。
【００５７】
ここで、例えば、断熱フィルム１５と絶縁フィルム１６とが一体に形成されている場合、第１電極体３Ａと第２電極体３Ｂとを別々に絶縁フィルム１６に収容する必要があり、工程が煩雑になる。
【００５８】
しかし、本実施形態では、断熱フィルム１５と絶縁フィルム１６とは別体に形成されている。このため、まず発電ユニット３を形成し、その後、発電ユニット３を絶縁フィルム１６に収容すれば良いため、第１電極体３Ａと第２電極体３Ｂとを同時に収容することができ、工程を簡素化することができる。
【００５９】
次に、絶縁フィルム１６に第１正極集電体８Ａを挿入し、第１正極集電体８Ａと第１正極集電箔３３Ａとを接続する。具体的には、第１正極集電体８Ａと第１正極集電箔３３ＡとをクリップＣＡによって挟み込み、超音波溶接によって接続する。なお、第２正極集電体８Ｂ、第１負極集電体９Ａ及び第２負極集電体９Ｂは、第１正極集電体８Ａと同じ形状であるため、説明を省略する。
【００６０】
図５は、二次電池１の図１におけるＪ―Ｊでの断面を示している。なお、図５では、負極側のみ示している。また、負極集電体１２Ａは一部のみ記載しており、蓋体５等は省略している。作業窓Ｋの上下方向の長さＰは、クリップＣＡの上下方向の長さＳに略等しい。これによって、発電ユニット３が絶縁フィルム１６に収容された状態でも、クリップＣＡによって第１正極集電体８Ａと、第１正極集電箔３３Ａとを挟み込むことができる。そして、作業窓Ｋを介して、クリップＣＡと、第１正極集電体８Ａと、第１正極集電箔３３Ａとを超音波溶接によって接続することができる。
【００６１】
なお、集電体と集電箔とを溶接した後、発電ユニット３を集電体とともに絶縁フィルム１６に収容することも考えられる。この場合、作業窓Ｋと絶縁板１７Ａ，１７Ｂは不要である。
【００６２】
（本実施形態の効果）
本実施形態によれば、断熱フィルム１５の上下方向の長さＹは、第１電極体３Ａ及び第２電極体３Ｂの上下方向の長さＷと略等しく、断熱フィルム１５の左右方向の長さＧは、第１電極体３Ａ及び第２電極体３Ｂの左右方向の長さＨと略等しい。そして、第１電極体３Ａの後側と第２電極体３Ｂの前側との間の対向領域全体に亘って、断熱フィルム１５が挟み込まれている。これによって、第１電極体３Ａ、第２電極体３Ｂの一方が発熱した場合に、他方にその熱が伝わることを抑制することができる。
【００６３】
＜他の実施形態＞
本明細書で開示される技術は上記記述及び図面によって説明した実施形態に限定されるものではなく、例えば次のような種々の態様も含まれる。
【００６４】
上記実施形態では、二次電池１の組み立ては、図示しない組み立て装置が自動で行っても、作業者が行ってもよい。
【００６５】
上記実施形態では、二次電池１は、リチウムイオン電池である例を挙げた。しかしこれに限らず、二次電池１は、鉛蓄電池やニッケル水素電池などの他の二次電池でもよく、一次電池であってもよい。また、キャパシタなどでもよい。
【００６６】
上記実施形態では、絶縁フィルム１６は略直方体形状である例を挙げた。しかしこれに限らず、絶縁フィルム１６は袋状でもよい。
【００６７】
上記実施形態では、断熱フィルム１５は、第１電極体３Ａと第２電極体３Ｂとの間の対向領域全体に亘って挟み込まれている例を挙げた。しかしこれに限らず、断熱フィルム１５は、第１電極体３Ａと第２電極体３Ｂとの間に挟み込まれていなくてもよく、第１電極体３Ａと第２電極体３Ｂと対向した状態で離間していてもよい。
【００６８】
上記実施形態では、断熱フィルム１５は、絶縁フィルム１６と別体に形成されている例を挙げた。しかしこれに限らず、断熱フィルム１５は、絶縁フィルム１６と一体に形成されていてもよい。
【００６９】
上記実施形態では、電極体は２つ（３Ａおよび３Ｂ）である例を挙げた。しかしこれに限らず、電極体は、３つ以上の複数個であってもよい。電極体が３つ以上の複数個である場合、全ての電極体の間に断熱フィルム１５があってもよく、一部の電極体の間（例えば中央の電極体の間）のみに断熱フィルム１５があってもよい。
【００７０】
上記実施形態では、作業窓Ｋは略四角形状である例を挙げた。しかしこれに限らず、作業窓Ｋは三角形状でも円形状でもよい。要するに、第１正極集電体８Ａと第１正極集電箔３３Ａとが、超音波溶接によって接続されればよい。
【００７１】
上記実施形態では、作業窓Ｋの前後方向の長さＶは、絶縁フィルム１６の前後方向の長さＭに略等しい例を挙げた。しかしこれに限らず、作業窓Ｋの前後方向の長さＶは、絶縁フィルム１６の前後方向の長さＭより短くてもよい。要するに、第１正極集電体８Ａと第１正極集電箔３３Ａとが、超音波溶接によって接続されればよい。
【００７２】
上記実施形態では、作業窓Ｋを介して、第１正極集電体８Ａと、第１正極集電箔３３Ａとが、超音波溶接によって接続される例を挙げた。しかしこれに限らず、作業窓Ｋは、例えば電解液を絶縁フィルム１６に注入する注入口として備えられていてもよい。
【００７３】
上記実施形態では、断熱フィルム１５の上下方向の長さＹは、第１電極体３Ａ及び第２電極体３Ｂの上下方向の長さＷと略等しい例を挙げた。しかしこれに限らず、断熱フィルム１５の上下方向の長さＹは、第１電極体３Ａ及び第２電極体３Ｂの上下方向の長さＷよりやや長くても、やや短くてもよい。要するに、断熱フィルム１５は、第１電極体３Ａの後側の点α１から点α２の間の領域と、第２電極体３Ｂの前側の点β１から点β２の間の領域とに挟み込まれていればよい。
【００７４】
上記実施形態では、断熱フィルム１５の左右方向の長さＧは第１電極体３Ａ及び第２電極体３Ｂの左右方向の長さＨと略等しい例を挙げた。しかしこれに限らず、断熱フィルム１５の左右方向の長さＧは第１電極体３Ａ及び第２電極体３Ｂの左右方向の長さＨよりやや長くても、やや短くてもよい。要するに、断熱フィルム１５は、第１電極体３Ａの後側の点α３から点α４の間の領域と、第２電極体３Ｂの前側の点β３から点β４の間の領域とに挟み込まれていればよい。
【００７５】
上記実施形態では、第１電極体３Ａの後側と第２電極体３Ｂの前側との間の対向領域全体に亘って、断熱フィルム１５が挟み込まれている例を挙げた。しかしこれに限らず、第１電極体３Ａの後側と第２電極体３Ｂの前側との間の対向領域の一部に、断熱フィルム１５が挟み込まれていてもよい。断熱フィルム１５が挟み込まれていない構成に比べて、第１電極体３Ａ、第２電極体３Ｂの一方が異常となって発熱した場合に、他方にその熱が伝わることを抑制することができる。
【００７６】
上記実施形態では、断熱フィルム１５の厚さＱ１は、絶縁フィルム１６の厚さＱ２と略等しい例を挙げた。しかしこれに限らず、断熱フィルム１５の厚さＱ１は、絶縁フィルム１６の厚さＱ２より厚くてもよく、絶縁フィルム１６の厚さＱ２より薄くてもよい。
【符号の説明】
【００７７】
１：二次電池  ２：セルケース  ３：発電ユニット  １５：断熱フィルム  １６：絶縁フィルム  Ｋ：作業窓
【図１】
2014186845.tif 000003
【図２】
2014186845.tif 000004
【図３】
2014186845.tif 000005
【図４】
2014186845.tif 000006
【図５】
2014186845.tif 000007